(57)【特許請求の範囲】
【請求項１】
開閉体に配設される錠を構成し前記開閉体の表裏面の貫通孔より突出する操作部材の軸部等が、前記貫通孔と軸線を同じとして対応し穿設される穴を貫通し、該穴の内径が前記操作部材の軸部の外径と略等しく設定されて形成され、該軸部外周面と前記穴の内周面とが密着状態とされて前記貫通穴の周囲に位置して前記開閉体の板面に配設され、且つ前記軸部外周面と前記貫通孔内周面との間隙を前記板面側より閉塞して冷気の吹き込みをなくし、矩形板状に形成されるゴム材質のスペーサと、
前記錠を構成する操作部材の軸部等が貫通する支持孔が穿設され、該支持孔にて前記操作部材の軸部等を支持するとともに、上下両端にベース片が折曲形成されて延設され、前記スペーサと縦横の長さが同等に形成され、前記各ベース片にて前記スペーサを前記開閉体板面とで挟持するように固定しつつ、前記スペーサとの間の前記軸部周囲に空間を形成する金属製の台座と、
略方形箱状に形成されるとともに前記操作部材の軸部が接触することなく貫通する挿通孔が穿設され、前記台座の少なくともいずれか一方の台座に内周面が密着するとともに、該台座と前記スペーサとを露出させずに被覆して前記開閉体に取り付けられる樹脂よりなるカバーと、
を具備したことを特徴とする開閉体の錠構造。
【請求項２】
前記操作部材は、表面が樹脂にてコーティングされていることを特徴とする請求項１記載の開閉体の錠構造。
【請求項３】
前記操作部材は、樹脂よりなることを特徴とする請求項１記載の開閉体の錠構造。
【発明の詳細な説明】
【０００１】
【発明の属する技術分野】
本発明は、扉などの開閉体の錠構造に関するものである。
【０００２】
【従来の技術】
通常、建築物のドアなどの開閉体に配設される錠は金属製であり、この錠を操作するサムターンやノブ，レバーハンドルも金属より構成されている。
そして、ドアの表裏面に配設されるサムターンやレバーハンドルの周囲には、これら部材の回動を支持するとともに、装飾性も兼ねる表面が仕上げられた真鍮などの黄銅合金などよりなる座板が設けられている。
【０００３】
【発明が解決しようとする課題】
しかしながら、上述した従来の錠の構造では、この錠を屋外と通じる玄関のドアなどに配設した場合、屋内外の気温差によって、気温（室温）の高い屋内側の金属表面、すなわち各部材の表面が結露を起こしてしまうという不具合が生じる。
【０００４】
特に、寒冷地においては、上記のような結露が生じた後に、屋外側の低い気温が金属部分を伝わることで、その水滴が氷結してしまい、屋内側に構成され配設されるサムターンが座板に固着してしまい、その動作が不可能となり、すなわち施解錠が行えないという問題が発生する。
【０００５】
そこで本発明は、上記問題点を解消するために、寒冷地などの建築物に配設されるドアなどの開閉体に備えられる錠において、開閉体を隔てて内外の気温差があり結露が生じても、氷結を起こさずに、確実に動作し、施解錠などの操作を行うことの可能な開閉体の錠構造を提供することを目的としている。
【０００６】
【課題を解決するための手段】
次に、上記の課題を解決するための手段を、実施の形態に対応する図面を参照して説明する。
この発明の開閉体の錠構造２は、開閉体１に配設される錠を構成し前記開閉体１の表裏面１ｏ，１ｉの貫通孔１ｂ，１ｃより突出する操作部材４の軸部等が、前記貫通孔１ｂ，１ｃと軸線を同じとして対応し穿設される穴５ａを貫通し、該穴５ａの内径が前記操作部材４の軸部の外径と略等しく設定されて形成され、該軸部外周面と前記穴５ａの内周面とが密着状態とされて前記貫通穴１ｂ，１ｃの周囲に位置して前記開閉体１の板面に配設され、且つ前記軸部外周面と前記貫通孔内周面との間隙を前記板面側より閉塞して冷気の吹き込みをなくし、矩形板状に形成されるゴム材質のスペーサ５と、
前記錠を構成する操作部材４の軸部等が貫通する支持孔６ａが穿設され、該支持孔６ａにて前記操作部材４の軸部等を支持するとともに、上下両端にベース片７，７が折曲形成されて延設され、前記スペーサ５と縦横の長さが同等に形成され、前記各ベース片７，７にて前記スペーサ５を前記開閉体１板面１ｏ，１ｉとで挟持するように固定しつつ、前記スペーサ５との間の前記軸部周囲に空間を形成する金属製の台座６と、
略方形箱状に形成されるとともに前記操作部材４の軸部が接触することなく貫通する挿通孔９ａが穿設され、前記台座６の少なくともいずれか一方の台座６に内周面９ｂが密着するとともに、該台座６と前記スペーサ５とを露出させずに被覆して前記開閉体１に取り付けられる樹脂よりなるカバー９と、
を具備したことを特徴とする。
【０００８】
なお、前記操作部材４は、表面が樹脂にてコーティングされていてもよく、また、全体が樹脂よりなることとしてもよい。
【０００９】
以上の構成により、開閉体１を隔てて気温に差がある場合での気温の高い側に、結露が生じても樹脂製のカバー９が、台座６を露出させずに被覆する構成としたことによって、冷気が伝わることがなくなり、特に台座６と開閉体１の板面との間にゴム材質性のスペーサ５が介設され、金属製の台座６が直接開閉体１に接してなく、スペーサ５の穴５ａが軸部外周に密着しており、開閉体１の貫通孔１ｂ，１ｃと操作部材４の軸部外径との隙間を表出させずに閉塞することにより、確実に氷結の恐れがなくなる。さらに、金属製の台座６とゴム製のスペーサ５との間に、軸部周りで空間が形成されることからも、熱伝導が少なくなる。
これにより、操作部材４は固着してしまうことがなく、その動作が不可能となることがない。
【００１０】
【発明の実施の形態】
図１は、本発明による開閉体の錠構造の一実施の形態を示す概略断面図である。
【００１１】
本発明の開閉体の錠構造が配設される開閉体１は、本実施の形態では、基端縁が蝶番にて建物躯体に連結された玄関などのドアであり、このドア１の先端縁である揺動端縁１ａに、この錠構造２が配設される。
【００１２】
この錠構造２は、錠箱３と、操作部材４と、スペーサ５と、台座６と、カバー９とで構成されている。
【００１３】
錠箱３は、略方形箱状に形成され、ドア１の端縁１ａにおける端面である木口より一側のフロント板のみが表出してドア１の揺動端縁１ａに埋め込まれるように設けられている。
この錠箱３内には、図示しない施解錠機構が内蔵されており、この機構に連動連結されたラッチボルトとデッドボルト（図示せず）とが前記フロント板に穿設されている通孔より進退自在となるように配設されている。
【００１４】
また、この錠箱３内の機構を介してラッチボルト及びデッドボルトと後述する操作部材４とを連結するための上下一対の取付穴３ａ，３ｂが錠箱３の表裏面に貫通して形成されている。
そして、これら取付穴３ａ，３ｂに対応する貫通孔１ｂ，１ｃがドア１の表裏両面１ｏ，１ｉにそれぞれ穿設され、これら貫通孔１ｂ，１ｃより各取付穴３ａ，３ｂがドア１の表裏面１ｏ，１ｉに表出するようになっている。
【００１５】
次に、操作部材４は、シリンダー４Ａと、サムターン４Ｂと、ノブ４Ｃとで構成されている。
シリンダー４Ａは、一方の貫通孔１ｂ及び取付穴３ａを介してデッドボルトに連動連結されるとともに、ドア１における屋外側の面１ｏに突出するように配設され、また、サムターン４Ｂは、この一方の取付穴３ａの屋内側より取り付けられ、ドア１における屋内側の面１ｉに突出するように配設されており、すなわちこの一方の取付穴３ａの表裏面側にシリンダー４Ａとサムターン４Ｂが略一体となるように接続され、デッドボルトの進退操作を、屋外側からはキーを用いてシリンダー４Ａの回動にて行い、また屋内側からはサムターン４Ｂの回動操作によって行うようになっている。
【００１６】
また、ノブ４Ｃは、屋内側と屋外側の一対で構成され、各基端が他方の取付穴３ｂを介してラッチボルトに連動連結されているとともに、ドアにおける表裏両面１ｏ，１ｉより突出するように配設され、回動操作によってラッチボルトの進退操作を行えるようになっている。
【００１７】
次にスペーサ５は、天然ゴムや、耐寒性の良好なブタジエンゴム，クロロプレンゴム，シリコンゴムなどの合成ゴムを素材とする略短冊錠の矩形板状部材で、ドア１の表裏面１ｏ，１ｉにおける前記錠箱３に対応した位置の、ドア１の板面に穿設されている各貫通孔１ｂ，１ｃに対応する穴５ａが穿設され、このドア１の貫通孔５ａの周囲に位置するように、ドア１の表裏両板面１ｏ，１ｉに配設される。
【００１８】
なお、このスペーサ５に穿設される穴５ａの内径は、前記各操作部材４の貫通孔１ｂ，１ｃに位置する軸部外径に略等しくなるよう設定されて形成され、貫通孔１ｂ，１ｃと軸部外径との隙間が閉塞されるようになっている。
【００１９】
次に、台座６は、亜鉛ダイカストなどの金属よりなり、上下両端縁にＺ字状に折曲形成されたベース片７が延設されている矩形な略短冊状に形成され、一対で構成されている。
【００２０】
また、この台座６には、支持孔６ａが穿設されており、前述した各操作部材４の軸部等が貫通するようになっている。
そして、この台座６は、ドア１の表裏面１ｏ，１ｉに、前記スペーサ５を介し、このスペーサ５をドア１の板面とで挟持するようにネジ８などの固定手段にて固定されるとともに、各操作部材４を支持するようになっている。
なお、この台座６の縦横の長さは、スペーサ５と同等に形成される。
【００２１】
次にカバー９は、耐候性が良好な樹脂、例えばＡＢＳ樹脂，アセタール樹脂、ポリカーボネイト樹脂，ウレタン発泡樹脂やポリプロピレン，ポリブチレンテレフタレート，ポリエチレンテレフタレートなどよりなり、一側が開口した略方形箱状に形成されているとともに、前記台座６の支持孔６ａに対応する挿通孔９ａが穿設されている。
【００２２】
そして、このカバー９は、内側面９ｂが台座６に密着し、この台座６及びスペーサ５を被覆するようにドア１の表裏面１ｏ，１ｉに取り付けられる。
なお、このカバー９には、ノブ４Ｃやサムターン４Ｂなどの操作部材４に接触することがなく、これらによる負荷が加わらず、また、このカバー９のドア１への取付手段としては、台座６にネジなどを用いて固定してもよく、また、台座６に対して鉤状爪にて着脱が容易となるように取り付けるよう構成してもよい。
【００２３】
従ってこのように構成された錠構造２によれば、ドア１の表裏両面１ｏ，１ｉに突出するノブ４Ｃやシリンダー４Ａ，サムターン４Ｂの周囲を樹脂製のカバー９にて構成したので、寒冷地におけるドア１を隔てた屋外Ｏと屋内Ｉとの気温差にて、ドア１の屋内Ｉ側が結露を生じても、屋外Ｏ側から錠箱３を介して伝わる低い気温の冷気によって、その水滴が氷結してしまうことがなく、すなわちサムターン４Ｂが固着してその動作不良を起こすことなく、確実な施解錠動作を行える。
【００２４】
特に、この錠構造２では、ドア１の板面１ｏ，１ｉと台座６との間にゴム製のスペーサ５が介設されているので、屋外Ｏからの冷気が隙間より吹き込むことがなく、また台座６自体に屋外Ｏ側からの冷気が伝わらず、結露が生じにくく、氷結が起こらない。
【００２５】
また、カバー９が樹脂製であることから、着色などが容易に行え、所望の色彩のカバー９を得ることができるとともに、金属調のメッキ加工などの表面処理を施すことも可能であることから、従来の真鍮製のカバーと遜色なく、かつ廉価に得ることができ、また、容易に交換等も行うことができる。
さらに、樹脂よりなることから、成形の自由度が高いため、意匠性を加味したカバー９を得ることができ、装飾性が向上する。
【００２６】
また、ノブ４Ｃやサムターン４Ｂなどを支持する金属製の台座６が、カバー９にて被覆され露出しないため、この台座６に仕上げ加工などを行わなくて良く、製作が容易となり、ドア１の内外両面にカバー９を取り付ける場合は、台座６が内外同じものを使用でき、廉価に仕上げることが可能となる。
【００２７】
なお、上述した実施の形態では、操作部材４を構成しシリンダー４Ａに連結されるサムターン４Ｂの材質について特に限定して述べていないが、カバー９表面よりも突出するツマミ部分４Ｂａの表面を、カバー９と同等の材質の樹脂にてコーティングするとよい。
この場合、屋外Ｏ側となるシリンダー４Ａより屋外Ｏの冷気がサムターン４Ｂ側に伝達されても、このサムターン４Ｂは氷結することがなく、回動操作、すなわち施解錠操作を行うことができるとともに、このサムターン４Ｂによる操作時に、サムターン４Ｂを掴む手指の感触が冷たく感じることがない。
また、このサムターン４Ｂを耐衝撃性及び耐摩耗性，寸法安定性などの良好な樹脂にて成形する構成としてもよく、この場合、結露による水滴が台座６などの金属部分で氷結が起きても、この台座６とは異なる素材であることから、サムターン４Ｂは回動操作を行うことが可能となる。
【００２８】
また、上述した実施の形態では、ドア１の表裏両面１ｏ，１ｉにそれぞれスペーサ５とカバー９とを構成させた例について述べたが、図２に示すように、少なくともドア１を隔てて気温の高い側（Ｉ）の面（１ｉ）にこれらスペーサ５とカバー９を設ければ、結露後に氷結することがなく、確実な操作を行うことが可能となる。
なお、この場合、屋外Ｏ側のカバーは、台座６と兼ねる構造としてもよく、その場合、従来と同様の金属製の台座部材６’となる（図２参照）。
【００２９】
また、上述した実施の形態では、開閉体を建物の玄関に配設されるドア１として説明した例について述べたが、引戸型の開閉体でも同様の効果を得ることができ、また、玄関ではなく、ドアなどの開閉体を隔てた各部屋の室温に差があり、開閉体の表裏いずれかの面側に結露が生じる場合、例えば冷凍室と通常の部屋とを隔てるドアの錠構造に構成してもよい。
【００３０】
さらに、上述した実施の形態では、操作部材４として、ノブ４Ｃとサムターン４Ｂとシリンダー４Ａとで構成される例について述べたが、これに限定されることはなく、例えばレバーハンドルにて構成してもよい。
【００３１】
【発明の効果】
以上説明したように本発明による開閉体の錠構造では、開閉体の表裏両面に突出するサムターンなどの操作部材の周囲を樹脂製のカバーにて覆い、かつカバーの挿通孔と操作部材とを接触せず貫通する構成としたので、寒冷地における開閉体を隔てた屋外と屋内との気温差にて、開閉体の屋内側が結露を生じても、屋外側から伝わる低い気温の冷気によって、その水滴が氷結して固着してしまうことがなく、すなわち操作部材がその動作不良を起こすことなく、確実な施解錠動作を行うことができるという効果がある。
【００３２】
特に、この錠構造において、開閉体の板面と台座との間にゴム製のスペーサを介設したことにより、このスペーサに設けられた穴が操作部材の軸部外径と略等しく形成されて密着状態となり、これにより、開閉体の貫通孔と操作部材の軸部外径とに形成される隙間を表出させずに閉じ、すなわち閉塞することとなって、スペーサが開閉体の板面に配設されており、屋外からの冷気がその隙間より吹き込むことがなく、また、台座はカバー側に密着状態で、台座とスペーサとの間の軸部周囲には空間が存在することから、台座自体に屋外側からの冷気が伝わらず、結露が生じにくく、氷結が起こらないという効果がある。
【００３３】
また、カバーが樹脂製であることから、着色などが容易に行え、所望の色彩のカバーを得ることができるとともに、金属調のメッキ加工などの表面処理を施すことも可能であることから、従来の真鍮製のカバーと遜色なく、かつ廉価に得ることができ、また、容易に交換等も行うことができ、さらに、樹脂よりなることから、成形の自由度が高いため、意匠性を加味したカバーを得ることができ、装飾性が向上するという効果がある。
【００３４】
さらに、操作部材を支持する金属製の台座が、カバーにて被覆され露出しないため、この台座に仕上げ加工などを行わなくて良く、製作が容易となり、廉価に仕上げることが可能となる。
【００３５】
また、操作部材を、その表面をカバーと同等の材質の樹脂にてコーティングする構成としたり、また、この操作部材を樹脂にて成形することで、屋外側からの冷気がこの操作部材に伝達されても、この操作部材が氷結して固着することがなく、回動操作、すなわち施解錠操作を行うことができるとともに、この操作部材による操作時に、これを掴む手指の感触が冷たく感じることがないという効果がある。
【図面の簡単な説明】
【図１】本発明による開閉体の錠構造の一実施の形態を示す概略断面図
【図２】他の実施の形態による錠構造の概略断面図
【符号の説明】
１…開閉体（ドア）
１ｂ，１ｃ…貫通孔
１ｉ…内面
１ｏ…外面
２…錠構造
４…操作部材
５…スペーサ
６…台座
９…カバー
【図１】
0003842321.tif 000002
【図２】
0003842321.tif 000003